Podtech/llm-jp-corpus-v4-ja_patent huggingface dataset:
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
液体を貯留する貯留部から出た液体が、液体を吐出する吐出口を有する記録ヘッドへ供給される過程で前記液体が流れる第１の流路と、
前記第１の流路の少なくとも一部を含む循環経路において液体を循環させる循環手段と、
を有する記録装置であって、
前記循環手段は、予め決定されていた第１の期間において前記循環経路内の液体を所定時間ごとに循環させ、前記第１の期間ではない第２の期間において前記記録装置が印刷ジョブを実行した場合には、前記印刷ジョブを実行したことに応じて前記第２の期間より短い第３の期間、所定時間ごとに循環を行うことを特徴とする記録装置。
【請求項２】
前記循環経路は前記貯留部を含むことを特徴とする請求項１に記載の記録装置。
【請求項３】
前記循環経路は前記記録ヘッドを含むことを特徴とする請求項１または２に記載の記録装置。
【請求項４】
前記記録ヘッドは、前記吐出口と対応して設けられ、液体を吐出するために使用されるエネルギーを発生させるためのエネルギー発生素子と、前記エネルギー発生素子と対向する位置にある圧力室と、を有し、
前記循環経路は前記圧力室を含むことを特徴とする請求項３に記載の記録装置。
【請求項５】
現在時刻を取得するための時間をカウントする第１のタイマーと、
印刷ジョブが完了してから経過した時間をカウントする第２のタイマーと、
を更に有し、前記第１のタイマーに従って前記第１の期間の終了を決定し、前記第２のタイマーに従って前記第３の期間を決定することを特徴とする請求項１乃至４のいずれか１項に記載の記録装置。
【請求項６】
前記第１の期間の終了時刻、および次の前記第１の期間の開始時刻を設定するためのユーザからの入力を受け付ける受付手段を更に有することを特徴とする請求項１乃至５の何れか１項に記載の記録装置。
【請求項７】
前記第２の期間の時間は、固定されており、
前記第１の期間の終了時刻を設定するためのユーザからの入力を受け付ける受付手段を更に有することを特徴とする請求項１乃至５の何れか１項に記載の記録装置。
【請求項８】
前記第１の期間において前記循環手段が循環を行う間隔である、前記所定時間を設定するためのユーザからの入力を受け付ける受付手段を更に有することを特徴とする請求項１乃至７のいずれか１項に記載の記録装置。
【請求項９】
前記受付手段は操作パネルを含むことを特徴とする請求項６乃至８のいずれか１項に記載の記録装置。
【請求項１０】
前記吐出口から液体を正常に吐出できるか検査する検査手段を更に有し、
前記第１の期間における循環の再開に移行する際、前記循環手段が前記液体の循環を行いながら、前記検査手段によって前記吐出口が前記液体を正常に吐出できるか検査することを特徴とする請求項１乃至９のいずれか１項に記載の記録装置。
【請求項１１】
前記第２の期間に所定数以上の印刷ジョブが実行された場合、前記検査手段による検査を実行しないことを特徴とする請求項１０に記載の記録装置。
【請求項１２】
前記貯留部と、前記記録ヘッドとを有することを特徴とする請求項１乃至１１のいずれか１項に記載の記録装置。
【請求項１３】
前記第３の期間は前記第１の期間より短いことを特徴とする請求項１乃至１２のいずれか１項に記載の記録装置。
【請求項１４】
液体を貯留する貯留部から出た液体が、液体を吐出する吐出口を有する記録ヘッドへ供給される過程で前記液体が流れる第１の流路と、
前記第１の流路の少なくとも一部を含む循環経路において液体を循環させる循環手段と、
を有する記録装置の制御方法であって、
前記循環手段に、予め決定されていた第１の期間において前記循環経路内の液体を所定時間ごとに循環させ、前記第１の期間ではない第２の期間において前記記録装置が印刷ジョブを実行した場合には、前記印刷ジョブを実行したことに応じて前記第２の期間より短い第３の期間、所定時間ごとに循環を行わせることを特徴とする記録装置。
【請求項１５】
前記循環経路は前記貯留部を含むことを特徴とする請求項１４に記載の記録装置。
【請求項１６】
前記循環経路は前記記録ヘッドを含むことを特徴とする請求項１４または１５に記載の記録装置。
【請求項１７】
前記記録ヘッドは、前記吐出口と対応して設けられ、液体を吐出するために使用されるエネルギーを発生させるためのエネルギー発生素子と、前記エネルギー発生素子と対向する位置にある圧力室と、を有し、
前記循環経路は前記圧力室を含むことを特徴とする請求項１６に記載の記録装置。
【請求項１８】
現在時刻を取得するための時間をカウントする第１のタイマーと、
印刷ジョブが完了してから経過した時間をカウントする第２のタイマーと
を更に有し、前記第１のタイマーに従って前記第１の期間の終了を決定し、前記第２のタイマーに従って前記第３の期間を決定することを特徴とする請求項１乃至１７のいずれか１項に記載の記録装置。
【請求項１９】
前記第１の期間の終了時刻、および次の前記第１の期間の開始時刻を設定するためのユーザからの入力を受け付ける受付手段を更に有することを特徴とする請求項１乃至１８の何れか１項に記載の記録装置。
【手続補正２】
【補正対象書類名】明細書
【補正対象項目名】０００６
【補正方法】変更
【補正の内容】
【０００６】
本発明は、液体を貯留する貯留部から出た液体が、液体を吐出する吐出口を有する記録ヘッドへ供給される過程で前記液体が流れる第１の流路と、前記第１の流路の少なくとも一部を含む循環経路において液体を循環させる循環手段と、を有する記録装置であって、前記循環手段は、予め決定されていた第１の期間において前記循環経路内の液体を所定時間ごとに循環させ、前記第１の期間ではない第２の期間において前記記録装置が印刷ジョブを実行した場合には、前記印刷ジョブを実行したことに応じて前記第２の期間より短い第３の期間、所定時間ごとに循環を行うことを特徴とする記録装置である。
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
ＣＤ４７に結合することができる結合タンパク質またはその抗原結合断片であって、
該結合タンパク質または断片は、ＣＤ４７エピトープに結合するＩｇＧクラスの単離された完全ヒト抗ＣＤ４７抗体、および、その抗ＣＤ４７完全ヒト抗体Ｆａｂ断片からなる群より選択され；
該結合タンパク質または断片は、配列番号２２のアミノ酸配列を含む重鎖可変ドメインと、配列番号８のアミノ酸配列を含む軽鎖可変ドメインとを含む、
結合タンパク質または断片。
【請求項２】
前記ＩｇＧクラスの単離された完全ヒト抗ＣＤ４７抗体である、請求項１に記載の結合タンパク質または断片。
【請求項３】
前記抗ＣＤ４７完全ヒト抗体Ｆａｂ断片である、請求項１に記載の結合タンパク質または断片。
【請求項４】
１×１０−６Ｍ以下のＫＤでＣＤ４７エピトープに結合する、請求項１〜３のいずれか一項に記載の結合タンパク質または断片。
【請求項５】
請求項１〜４のいずれか一項に記載の結合タンパク質または断片を含む、がんの治療に使用するための組成物。
【請求項６】
前記がんが、卵巣がん、結腸がん、乳がん、肺がん、骨髄腫、神経芽球由来のＣＮＳ腫瘍、単球性白血病、Ｂ細胞由来の白血病、Ｔ細胞由来の白血病、Ｂ細胞由来のリンパ腫、Ｔ細胞由来のリンパ腫、および肥満細胞由来の腫瘍からなる群より選択される、請求項５に記載の組成物。
【請求項７】
請求項１〜４のいずれか一項に記載の結合タンパク質または断片と、医薬として許容される担体とを含む医薬組成物。
【請求項８】
請求項１〜４のいずれか一項に記載の結合タンパク質または断片を含む、医薬として使用するための組成物。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
基材層（Ａ層）の少なくとも一方の面に易接着層（Ｂ層）が積層された積層延伸ポリアミドフィルムであって、前記Ａ層は７０質量％以上のポリアミド６を含有し、前記Ｂ層は６０〜１００質量％の共重合体中の共重合成分の比率が３〜３５質量％であるポリアミド６／６６共重合体と０〜４０質量％のポリアミド６を含有する、積層延伸ポリアミドフィルム（ただし、前記B層にスルホン基含有ポリエステル層が積層されたフィルムを除く）。
【請求項２】
前記Ａ層およびＢ層が、Ａ層／Ｂ層、又はＢ層／Ａ層／Ｂ層の順に積層されたことを特徴とする請求項１に記載の積層延伸ポリアミドフィルム。
【請求項３】
Ａ層がポリアミド６／６６共重合体を０．５〜３０質量％含むことを特徴とする請求項1又は２に記載の積層延伸ポリアミドフィルム。
【請求項４】
積層延伸ポリアミドフィルムの厚みが５〜３０μｍであり、Ａ層の厚みが４．５μｍ以上であり、Ｂ層の厚みが０．５μｍ以上であることを特徴とする請求項１〜３のいずれかに記載の積層延伸ポリアミドフィルム。
【請求項５】
耐水ラミネート強度が２．０Ｎ／１５ｍｍ以上であることを特徴とする請求項１〜４のいずれかに記載の積層延伸ポリアミドフィルム。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
揺動かしめ装置の芯出し方法であって、
前記揺動かしめ装置は、
フレームと、
前記フレームに対して、基準軸周りに回転可能に支持される回転体と、
凹球面を有し、前記フレームに固定された凹球面座と、
前記凹球面上でスライド可能な凸球面を有する凸球面座であり、前記回転体の回転に伴って振れ回り運動する、前記凸球面座と、
前記凸球面座に取り付けられる成形型と、
ワークピースを保持するワークホルダと、
を備え、
前記方法は、
前記凸球面座にレーザヘッドを取り付ける工程と、前記ワークホルダにセンサを取り付ける工程と、を有する準備工程と、
前記凸球面座が前記振れ回り運動している状態で、前記レーザヘッドからのレーザ光によって前記センサの受光面を照射する、照射工程と、
前記センサからの、前記受光面における前記レーザ光の照射位置の軌跡に関する情報に基づいて、前記揺動かしめ装置を機械的に調整する、調整工程と、
を含み、
前記調整工程は、前記振れ回り運動に伴う前記レーザ光の前記照射位置の軌跡が、楕円形状から円形状に近づくように、前記基準軸と直交する方向における、前記フレームに対する前記回転体の支持位置を調整すること、を含む、
揺動かしめ装置の芯出し方法。
【請求項２】
基準軸を有するフレームと、
前記フレームに固定され、前記基準軸の方向に関する一方側の側面に、前記基準軸と同軸の凹球面部を有する環状の凹球面座と、
前記凹球面部に球面係合した凸球面部を有する凸球面座と、
前記フレームに対して、前記基準軸と同軸の中心軸を中心とする回転を可能に支持された回転体と、
前記基準軸に対して傾斜した状態で前記凹球面座の内側を挿通し、かつ、前記基準軸の方向に関する一方側部が前記凸球面座に対して固定されると共に、前記基準軸の方向に関する他方側部が前記回転体の円周方向１箇所に対して回転可能に支持された揺動シャフトと、
前記凸球面座に取り付けられた成形型と、
前記基準軸の方向に関して前記成形型を挟んで前記回転体と反対側に配置され、かつ、前記基準軸の方向に関して前記フレームとの相対移動が可能であると共に、ワークピースを保持するためのワークホルダと、
を備えた揺動かしめ装置を、請求項１に記載の揺動かしめ装置の芯出し方法を実施して製造する、
揺動かしめ装置の製造方法。
【請求項３】
軸部材と、該軸部材に外嵌され、かつ、該軸部材の軸方向端部に設けられた筒部を径方向外方に塑性変形させて形成したかしめ部により軸方向端面を抑え付けられた内輪と、を備えた、ハブユニット軸受の製造方法であって、
請求項１に記載の芯出し方法を用いて、揺動かしめ装置を機械的に調整する工程と、
機械的に調整された前記揺動かしめ装置を用いて前記かしめ部を形成する工程であり、前記内輪を外嵌した前記軸部材を前記ワークホルダに対して、該軸部材の中心軸が前記基準軸と同軸になるように保持し、かつ、前記回転体を回転させながら、前記基準軸の方向に関して前記フレームと前記ワークホルダとを相対移動させることにより、前記軸部材の軸方向端部に設けられた筒部に前記成形型を押し付けることで、前記筒部を径方向外方に塑性変形させて前記かしめ部を形成する、前記工程と、
を含む、
ハブユニット軸受の製造方法。
【請求項４】
ハブユニット軸受を備えた車両の製造方法であって、前記ハブユニット軸受を、請求項３に記載のハブユニット軸受の製造方法により製造する、
車両の製造方法。
【請求項５】
揺動かしめシステムであって、
揺動かしめ装置と芯出し装置とを備え、
前記揺動かしめ装置は、
フレームと、
前記フレームに対して、基準軸周りに回転可能に支持される回転体と、
凹球面を有し、前記フレームに固定された凹球面座と、
前記凹球面上でスライド可能な凸球面を有する凸球面座であり、前記回転体の回転に伴って振れ回り運動する、前記凸球面座と、
前記凸球面座に取り付けられる成形型と、
ワークピースを保持するワークホルダと、
を備え、
前記芯出し装置は、
前記凸球面座に取り付けられるレーザヘッドと、
前記レーザヘッドからのレーザ光を受ける受光面を有し、前記ワークホルダに保持されるセンサと、
前記センサからの出力信号に基づいて、前記受光面における前記レーザ光の照射位置の軌跡を表示するディスプレイと、
を備え、
前記揺動かしめ装置は、前記振れ回り運動に伴う前記レーザ光の前記照射位置の軌跡が、楕円形状から円形状に近づくように、前記基準軸と直交する方向における、前記フレームに対する前記回転体の支持位置が調整されるように構成されている、
揺動かしめシステム。
【手続補正２】
【補正対象書類名】明細書
【補正対象項目名】発明の名称
【補正方法】変更
【補正の内容】
【発明の名称】揺動かしめ装置の芯出し方法、揺動かしめ装置の製造方法、ハブユニット軸受の製造方法、車両の製造方法、揺動かしめシステム
【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
樹脂成形体と、インサート部材を備える、構造体であって、
前記樹脂成形体は、樹脂壁を備え、
構成（１）〜（２）の一方又は両方を備える、構造体。
（１）前記樹脂壁は、間隔をおいて対向する表壁と裏壁を備え、
前記表壁は、前記裏壁に向かって凹む凹部を備え、
前記インサート部材は、前記凹部内に配置され、
前記インサート部材は、柱部を備え、
前記柱部に対向する位置において、前記表壁と前記裏壁が溶着されて溶着部となり、
前記柱部には、別の部材を収容可能な収容凹部が設けられている。
（２）前記インサート部材は、貫通孔を備え、
前記樹脂壁は、前記貫通孔の縁に密着している。
【請求項２】
請求項１に記載の構造体であって、
前記構成（１）を備える、構造体。
【請求項３】
請求項２に記載の構造体であって、
前記収容凹部内にナットが圧入されている、構造体。
【請求項４】
請求項２又は請求項３に記載の構造体であって、
前記表壁側の表面において、前記インサート部材と前記表壁は、面一になっている、
【請求項５】
請求項２〜請求項４の何れか１つに記載の構造体であって、
前記柱部の先端に、前記溶着部の表面に沿った方向に突出する突出部が設けられている、構造体。
【請求項６】
請求項１〜請求項５の何れか１つに記載の構造体であって、
前記構成（２）を備える、構造体。
【請求項７】
請求項６に記載の構造体であって、
前記インサート部材は、一対の柱部と、これらを連結するブリッジ部を備え、
前記柱部は、前記ブリッジ部よりも前記樹脂壁の方向に突出し、
前記貫通孔は、前記ブリッジ部に設けられる、構造体。
【請求項８】
インサート工程と、成形工程を備える、構造体の製造方法であって、
前記インサート工程では、金型にインサート部材を設置し、
前記成形工程では、溶融状態の樹脂シートの成形を行い、
構成（１）〜（２）の一方又は両方を備える、方法。
（１）前記金型は、第１及び第２金型を備え、
前記樹脂シートは、第１及び第２樹脂シートを備え、
前記インサート部材は、第１金型に設置され、
前記インサート部材は、柱部を備え、
前記成形工程では、第１及び第２樹脂シートは、それぞれ、第１及び第２金型によって成形され、かつ前記柱部の先端に対向する部位において、第１及び第２樹脂シートが溶着された溶着部が形成される。
（２）前記インサート部材は、貫通孔を備え、
前記成形工程では、前記貫通孔を通じた減圧によって前記樹脂シートを吸引する。
【請求項９】
請求項８に記載の方法であって、
前記構成（１）を備える、方法。
【請求項１０】
請求項９に記載の方法であって、
前記柱部の先端に、前記溶着部の表面に沿った方向に突出する突出部が設けられている、方法。
【請求項１１】
請求項９又は請求項１０に記載の方法であって、
前記インサート部材は、柱部を備え、
前記柱部は、別の部材を収容可能な収容凹部を備える、方法。
【請求項１２】
請求項１１に記載の方法であって、
前記収容凹部内にナットを圧入する工程を備える、方法。
【請求項１３】
請求項８〜請求項１２の何れか１つに記載の方法であって、
前記構成（２）を備える、方法。
【請求項１４】
請求項１３に記載の方法であって、
前記金型は、前記金型のキャビティの内面に係合凸部を備え、
前記インサート部材は、係合凹部を備え、
前記インサート工程では、前記係合凹部を前記係合凸部に係合させることによって、前記金型に前記インサート部材を設置し、
前記貫通孔は、前記係合凹部に連通するように設けられる、方法。
【請求項１５】
請求項１３に記載の方法であって、
前記インサート部材は、前記金型のキャビティの内面に設けられた凹部に収容されて設置される、方法。
【請求項１６】
請求項１３〜請求項１５の何れか１つに記載の方法であって、
前記インサート部材は、一対の柱部と、これらを連結するブリッジ部を備え、
前記柱部は、前記ブリッジ部よりも前記樹脂シートの方向に突出し、
前記貫通孔は、前記ブリッジ部に設けられる、方法。
【請求項１７】
請求項１３〜請求項１５の何れか１つに記載の方法であって、
前記インサート部材は、基部と、前記基部から前記樹脂シートに向かって突出する突起を備え、
前記貫通孔は、前記突起に隣接した位置において前記基部に設けられるか、又は前記突起の側面に設けられる、方法。
【手続補正書】
【提出日】令和3年4月19日(2021.4.19)
【手続補正１】
【補正対象書類名】明細書
【補正対象項目名】００１１
【補正方法】変更
【補正の内容】
【００１１】
上記目的を達成するために、請求項１記載の画像形成システムは、シートに画像を形成する画像形成装置と、前記画像形成装置のシート搬送方向の下流側に順次連結され、前記画像形成装置から排出された画像形成後のシートに所定の後処理を施す１つ以上の後処理装置と、前記１つ以上の後処理装置のうち動作可能な最下流装置を特定する特定手段と、前記特定手段によって最下流装置として特定された後処理装置が後処理後のシートを積載するシート積載手段を備えていない場合、当該後処理装置にシートを排出する強制排紙モードを設定可能な設定手段と、前記設定手段によって前記強制排紙モードが設定された場合、前記最下流装置として特定された後処理装置にシートを排出し、所定の後処理を施した後、前記シートを装置外に排出させるよう前記最下流装置として特定された後処理装置及び当該後処理装置よりも上流側の装置を制御する制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
シートに画像を形成する画像形成装置と、
前記画像形成装置のシート搬送方向の下流側に順次連結され、前記画像形成装置から排出された画像形成後のシートに所定の後処理を施す１つ以上の後処理装置と、
前記１つ以上の後処理装置のうち動作可能な最下流装置を特定する特定手段と、
前記特定手段によって最下流装置として特定された後処理装置が後処理後のシートを積載するシート積載手段を備えていない場合、当該後処理装置にシートを排出する強制排紙モードを設定可能な設定手段と、
前記設定手段によって前記強制排紙モードが設定された場合、前記最下流装置として特定された後処理装置にシートを排出し、所定の後処理を施した後、前記シートを装置外に排出させるよう前記最下流装置として特定された後処理装置及び当該後処理装置よりも上流側の装置を制御する制御手段と、
を備えることを特徴とする画像形成システム。
【請求項２】
前記制御手段は、前記設定手段によって前記強制排紙モードが設定されていない場合、前記後処理が施されたシートを積載するシート積載手段を備えていない後処理装置に前記シートを排出しないように制御することを特徴とする請求項１記載の画像形成システム。
【請求項３】
前記制御手段は、前記１つ以上の後処理装置が、前記シート積載手段を備えていない場合、印刷ジョブを開始させないことを特徴とする請求項２記載の画像形成システム。
【請求項４】
前記特定手段は、前記１つ以上の後処理装置にそれぞれ設けられており、前記１つ以上の後処理装置のうち所定の後処理装置に設けられる特定手段は、前記所定の後処理装置が最下流装置であるか否かを判定することによって最下流装置を特定することを特徴とする請求項１乃至３のいずれか１項に記載の画像形成システム。
【請求項５】
前記１つ以上の後処理装置のうちの所定の後処理装置に設けられる前記特定手段は、前記所定の後処理装置が前記画像形成システムにおける終端の装置であるか否かを特定することによって下流側装置の接続の有無を判定する第１の判定手段と、制御信号によって下流側装置の接続の有無を判定する第２の判定手段とを有し、
前記第１の判定手段又は前記第２の判定手段によって下流側装置が接続されていないと判定された場合に前記所定の後処理装置を最下流装置として特定することを特徴とする請求項４記載の画像形成システム。
【請求項６】
前記所定の後処理装置は、前記１つ以上の後処理装置のそれぞれであることを特徴とする請求項４または５に記載の画像形成システム。
【請求項７】
前記最下流装置として特定される後処理装置は、設定により又は他の後処理装置が制御上システムから切り離されることによって変わることを特徴とする請求項１乃至６のいずれか１項に記載の画像形成システム。
【請求項８】
前記所定の後処理装置は、当該後処理装置の下流側に接続されたシート積載手段を備えた他の後処理装置が制御上システムから切り離された場合に、最下流装置として特定されることを特徴とする請求項７記載の画像形成システム。
【請求項９】
ユーザに情報を報知する表示装置を備えており、
前記表示装置は、表示画面に前記特定手段の特定結果を表示して報知することを特徴とする請求項１乃至８のいずれか１項に記載の画像形成システム。
【請求項１０】
前記表示装置は、前記特定手段の特定結果に加えて、前記最下流装置として特定された後処理装置における最下流設定の情報、下流接続設定の情報、及びシート積載トレイの情報を併せて報知することを特徴とする請求項９記載の画像形成システム。
【請求項１１】
シートに画像を形成する画像形成装置と、前記画像形成装置のシート搬送方向の下流側に順次連結され、前記画像形成装置から排出された画像形成後のシートに所定の後処理を施す１つ以上の後処理装置とを備えた画像形成システムの制御方法であって、
前記１つ以上の後処理装置のうち動作可能な最下流装置を特定する特定工程と、
前記特定工程で最下流装置として特定された後処理装置が後処理後のシートを積載するシート積載手段を備えていない場合、当該後処理装置にシートを排出する強制排紙モードを設定可能な設定工程と、
前記設定工程で前記強制排紙モードが設定された際、前記最下流装置として特定された後処理装置にシートを排出し、所定の後処理を施した後、前記シートを装置外に排出させるよう前記最下流装置として特定された後処理装置及び当該後処理装置よりも上流側の装置を制御する制御工程と、
を有することを特徴とする画像形成システムの制御方法。
【請求項１２】
コンピュータで読み取り可能な記憶媒体であって、請求項１１記載の画像形成システムの制御方法をコンピュータに実行させるためのプログラムを格納することを特徴とする記憶媒体。
【請求項１３】
シートに画像を形成する画像形成手段と、
画像形成後のシートに所定の後処理を施す１つ以上の後処理装置が接続されているか否かを判定する判定手段と、
前記判定手段によって前記１つ以上の後処理装置が接続されていると判定された場合、当該後処理装置のうち最下流の後処理装置が後処理後のシートを積載するシート積載手段を備えているか否かの情報を取得する取得手段と、
前記最下流の後処理装置が前記シート積載手段を備えていない場合、当該後処理装置にシートを排出することを許可するか否かを設定する設定手段と、
前記設定手段によって、前記シートを排出することを許可する設定がされた場合、前記シート積載手段を備えていない最下流の後処理装置にシートが排出されるように制御し、前記シートを排出することを許可する設定がされていない場合、前記シート積載手段を備えていない最下流の後処理装置にシートが排出されないように制御する制御手段と、
を備えることを特徴とする画像形成装置。
【手続補正書】
【提出日】令和3年4月16日(2021.4.16)
【手続補正１】
【補正対象書類名】明細書
【補正対象項目名】０００６
【補正方法】変更
【補正の内容】
【０００６】
上記目的を達成するために、本発明の印刷装置は、印刷対象となるデータ及び印刷設定を呼び出すための設定呼び出しボタンを表示する印刷装置であって、前記データを特定するためのデータ特定文字列を前記設定呼び出しボタンに表示する制御を行うボタン表示制御手段と、前記データ特定文字列の少なくとも一部が表示されない設定呼び出しボタンの選択をユーザーから受け付けた場合、前記印刷対象となるデータをユーザーに確認させるための通知を表示する制御を行う制御手段とを備えることを特徴とする。
【手続補正２】
【補正対象書類名】特許請求の範囲
【補正対象項目名】全文
【補正方法】変更
【補正の内容】
【特許請求の範囲】
【請求項１】
印刷対象となるデータ及び印刷設定を呼び出すための設定呼び出しボタンを表示する印刷装置であって、
前記データを特定するためのデータ特定文字列を前記設定呼び出しボタンに表示する制御を行うボタン表示制御手段と、
前記データ特定文字列の少なくとも一部が表示されない設定呼び出しボタンの選択をユーザーから受け付けた場合、前記印刷対象となるデータをユーザーに確認させるための通知を表示する制御を行う制御手段とを備えることを特徴とする印刷装置。
【請求項２】
前記制御手段は、前記データ特定文字列の少なくとも一部が表示されない設定呼び出しボタンの選択をユーザーから受け付け、前記印刷対象となるデータ及び印刷設定を呼び出す場合、前記通知を表示する制御を行うことを特徴とする請求項１記載の印刷装置。
【請求項３】
前記設定呼び出しボタンは、過去に印刷したデータと前記データを印刷した際に用いられた印刷設定とを呼び出すための履歴ボタンであることを特徴とする請求項１又は２に記載の印刷装置。
【請求項４】
前記データ特定文字列は、前記データの名称及び格納場所を示す絶対パスを示す文字列であることを特徴とする請求項１乃至３のいずれか１項に記載の印刷装置。
【請求項５】
前記制御手段は、前記データ特定文字列の全てが表示された設定呼び出しボタンの選択をユーザーから受け付けた場合、前記通知を表示しないことを特徴とする請求項１乃至４のいずれか１項に記載の印刷装置。
【請求項６】
前記設定呼び出しボタンの選択をユーザーから受け付けた際に当該設定呼び出しボタンに対応する印刷設定を用いた印刷の開始を指示するための印刷設定画面が表示され、
前記制御手段は、前記データ特定文字列の少なくとも一部が表示されない設定呼び出しボタンの選択をユーザーから受け付けた際に、前記印刷設定画面が表示される前に、前記通知を表示することを特徴とする請求項１乃至５のいずれか１項に記載の印刷装置。
【請求項７】
前記設定呼び出しボタンの選択をユーザーから受け付けた際に当該設定呼び出しボタンに対応する印刷設定を用いた印刷の開始を指示するための印刷設定画面が表示され、
前記制御手段は、前記データ特定文字列の少なくとも一部が表示されない設定呼び出しボタンの選択をユーザーから受け付けた際に、前記印刷設定画面の少なくとも一部を覆うように前記通知を表示することを特徴とする請求項１乃至５のいずれか１項に記載の印刷装置。
【請求項８】
前記通知には前記データ特定文字列の全てが表示されることを特徴とする請求項１乃至７のいずれか１項に記載の印刷装置。
【請求項９】
前記設定呼び出しボタンに前記データ特定文字列の全てが表示されているか否かを判断する判断手段を更に備えることを特徴とする請求項１乃至８のいずれか１項に記載の印刷装置。
【請求項１０】
前記制御手段は、前記判断手段の判断に応じて前記通知を表示するか否かを切り替えることを特徴とする請求項９記載の印刷装置。
【請求項１１】
印刷対象となるデータ及び印刷設定を呼び出すための設定呼び出しボタンを表示する印刷装置の制御方法であって、
前記データを特定するためのデータ特定文字列を前記設定呼び出しボタンに表示する制御を行うボタン表示制御ステップと、
前記データ特定文字列の少なくとも一部が表示されない設定呼び出しボタンの選択をユーザーから受け付けた場合、前記印刷対象となるデータをユーザーに確認させるための通知を表示する制御を行う表示制御ステップとを有することを特徴とする印刷装置の制御方法。
【請求項１２】
印刷対象となるデータ及び印刷設定を呼び出すための設定呼び出しボタンを表示する印刷装置の制御方法をコンピュータに実行させるプログラムであって、
前記印刷装置の制御方法は、
前記データを特定するためのデータ特定文字列を前記設定呼び出しボタンに表示する制御を行うボタン表示制御ステップと、
前記データ特定文字列の少なくとも一部が表示されない設定呼び出しボタンの選択をユーザーから受け付けた場合、前記印刷対象となるデータをユーザーに確認させるための通知を表示する制御を行う表示制御ステップとを有することを特徴とするプログラム。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサおよびメモリを備えるコンピュータにより実行されるものであり、
前記ゲームプログラムは、前記プロセッサに、
日付を含むカレンダーを表示部に表示するステップと、
前記カレンダーを表示した後において、付与条件が満たされると、当該付与条件が満たされた日付に関連付けられたオブジェクトをユーザに付与するステップとを実行させる、ゲームプログラム。
【請求項２】
前記表示するステップは、前記カレンダーにおいて日付に関連付けられたオブジェクトを表示可能である、請求項１に記載のゲームプログラム。
【請求項３】
前記表示するステップは、前記カレンダーにおいて日付に関連付けられたオブジェクトがユーザに付与されている旨を表示可能である、請求項１または請求項２に記載のゲームプログラム。
【請求項４】
前記表示するステップは、前記カレンダーにおいて付与されるオブジェクトの個数を表示可能である、請求項１〜請求項３のいずれかに記載のゲームプログラム。
【請求項５】
前記表示するステップは、前記カレンダーにおいて当日であるか当日前後であるかにかかわらず日付に関連付けられたイベントを表示可能である、請求項１〜請求項４のいずれかに記載のゲームプログラム。
【請求項６】
日付には、ユーザに付与可能となるオブジェクトが関連付けられており、
前記付与条件は、当日における初回ログインであることを条件として満たす、請求項１〜請求項５のいずれかに記載のゲームプログラウム。
【請求項７】
前記表示するステップは、ユーザによる所定の操作がなされたことによりカレンダーを表示する、請求項１〜請求項６のいずれかに記載のゲームプログラウム。
【請求項８】
前記表示するステップは、前記カレンダーの初期表示として当日を含む第１期間に属する日付を含むカレンダーを表示し、ユーザによる切り替え操作がなされることにより第１期間とは異なる第２期間に属する日付を含むカレンダーに切り替えて表示可能である、請求項１〜請求項７のいずれかに記載のゲームプログラウム。
【請求項９】
日付には、ユーザに付与可能となるオブジェクトが関連付けられており、
前記付与条件は、所定の要求が生じたことを条件として満たす、請求項１〜請求項８のいずれかに記載のゲームプログラウム。
【請求項１０】
コンピュータがゲームプログラムを実行する方法であって、
前記コンピュータは、プロセッサおよびメモリを備え、
前記プロセッサが請求項１に記載の各ステップを実行する方法。
【請求項１１】
情報処理装置であって、
前記情報処理装置は、
請求項１に記載のゲームプログラムを記憶する記憶部と、
該ゲームプログラムを実行することにより、情報処理装置の動作を制御する制御部とを備えている、情報処理装置。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本開示の一態様は、従来の課題に鑑みてなされたものであり、ゲームプレイに対するユーザの動機付けを向上させることを目的とする。
【手続補正４】
【補正対象書類名】明細書
【補正対象項目名】０００６
【補正方法】変更
【補正の内容】
【０００６】
本開示に係るゲームプログラムは、プロセッサおよびメモリを備えるコンピュータにより実行される。ゲームプログラムは、前記プロセッサに、日付を含むカレンダーを表示部に表示するステップと、前記カレンダーを表示した後において、付与条件が満たされると、当該付与条件が満たされた日付に関連付けられたオブジェクトをユーザに付与するステップとを実行させる。
【手続補正５】
【補正対象書類名】明細書
【補正対象項目名】０００９
【補正方法】変更
【補正の内容】
【０００９】
本開示の一態様によれば、ゲームプレイに対するユーザの動機付けが向上する。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
形態変化を可能とした玩具であって、
前記玩具の一端部を成す第１要素と、前記玩具の他端部を成す第２要素と、前記玩具の前記第１要素と前記第２要素との間を成す少なくとも１個の第３要素とを備えており、
前記第１要素と前記第２要素と前記第３要素には、各々が変位可能に連結される相互連結用の連結部が設けられており、
前記第３要素の前記連結部は、軸部と当該軸部に嵌め込み可能な軸支部とを有しており、前記第１要素の前記連結部は、前記軸部と前記軸支部の一方を有しており、前記第２要素の前記連結部は、前記軸部と前記軸支部の他方を有しており、
前記第１要素と前記第２要素とが離れた位置にある第１形態と、前記第１要素と前記第２要素とが近接した位置にある第２形態とに可逆的に変化可能に構成されている、
玩具。
【請求項２】
前記第１要素と前記第２要素と前記第３要素は、異なる外観を有している、
請求項１に記載の玩具。
【請求項３】
前記第３要素は、複数個である、
請求項１または２に記載の玩具。
【請求項４】
複数個の前記第３要素は、類似した外観を有している、
請求項３に記載の玩具。
【請求項５】
前記第１要素と前記第２要素との接近は、前記第１要素に設けられた底部と前記第２要素に設けられた底部との接近である、
請求項１〜４のいずれか１項に記載の玩具。
【請求項６】
前記連結部は、前記第１要素と前記第２要素と前記第３要素に設けられた支柱部に当該第１要素と当該第２要素と当該第３要素の上下方向に相当する第１方向に変位可能に設けられている、
請求項１に記載の玩具。
【請求項７】
前記連結部の前記第１方向の変位は、前記支柱部に設けられた変位制限部によって制限されている、
請求項６に記載の玩具。
【請求項８】
前記連結部は、前記支柱部に前記第１方向と異なる方向に揺動可能に設けられている、
請求項６または７に記載の玩具。
【請求項９】
前記第１要素と前記第２要素と前記第３要素のうち少なくとも前記第３要素には、前記第１形態において前記玩具を支持可能な支持部が設けられている、
請求項１〜８のいずれか１項に記載の玩具。
【請求項１０】
前記支持部は、支持部本体と、前記支持部本体を回転可能に支える支持部副体とを有している、
請求項９に記載の玩具。
【請求項１１】
前記支持部本体は、可撓性を有している、
請求項１０に記載の玩具。
【請求項１２】
前記支持部副体は、少なくとも前記第３要素に設けられた底部に当該第３要素の左右方向に相当する第２方向に変位でき、かつ、自らを中心として回転可能に設けられている、
請求項１０または１１に記載の玩具。
【請求項１３】
複数個の前記第３要素の外面は、凸曲面を成している、
請求項１〜１２のいずれか１項に記載の玩具。
【請求項１４】
複数個の前記第３要素は、前記第２形態において隣接する前記第３要素との干渉を回避するための切欠部を両端部に形成している、
請求項１〜１３のいずれか１項に記載の玩具。
【請求項１５】
複数個の前記第３要素は、前記第３要素間の隙間が、前記第１形態と前記第２形態とで異なるように構成されている、
請求項１〜１４のいずれか１項に記載の玩具。
【請求項１６】
前記第１要素と前記第２要素と前記第３要素は、硬質材料から形成されている、
請求項１〜１５のいずれか１項に記載の玩具。
【請求項１７】
複数個の前記第３要素には、並び順を示す番号が付されている、
請求項１〜１６のいずれか１項に記載の玩具。
【請求項１８】
前記玩具は、生物を模したものであり、
前記第１形態は前記生物が伸張した形態であり、前記第２形態は前記生物が球状に丸まった形態である、
請求項１〜１７のいずれか１項に記載の玩具。
【請求項１９】
前記玩具は、前記第２形態において物品排出装置からの排出を可能としている、
請求項１〜１８のいずれか１項に記載の玩具。
【手続補正２】
【補正対象書類名】明細書
【補正対象項目名】０００６
【補正方法】変更
【補正の内容】
【０００６】
本発明に係る玩具は、形態変化を可能とした玩具であって、前記玩具の一端部を成す第１要素と、前記玩具の他端部を成す第２要素と、前記玩具の前記第１要素と前記第２要素との間を成す少なくとも１個の第３要素とを備えており、前記第１要素と前記第２要素と前記第３要素には、各々が変位可能に連結される相互連結用の連結部が設けられており、前記第３要素の前記連結部は、軸部と当該軸部に嵌め込み可能な軸支部とを有しており、前記第１要素の前記連結部は、前記軸部と前記軸支部の一方を有しており、前記第２要素の前記連結部は、前記軸部と前記軸支部の他方を有しており、前記第１要素と前記第２要素とが離れた位置にある第１形態と、前記第１要素と前記第２要素とが近接した位置にある第２形態とに可逆的に変化可能に構成されている。
【手続補正書】
【提出日】令和3年1月29日(2021.1.29)
【手続補正１】
【補正対象書類名】明細書
【補正対象項目名】００２５
【補正方法】変更
【補正の内容】
【００２５】
膨出領域１０８ａ、１０８ｂは、ライセンスプレート取付領域１０６の車幅方向両側にて、ライセンスプレート取付領域１０６よりも車両後方に膨出している。膨出領域１０８ａ、１０８ｂは、中央側が開口した構成になっていて、その内側にはブレーキランプ（図示省略）が取り付けられるブレーキランプ固定部１１６ａ、１１６ｂが設けられている。
【手続補正２】
【補正対象書類名】明細書
【補正対象項目名】００４５
【補正方法】変更
【補正の内容】
【００４５】
１００…バンパ構造、１０２…車両、１０４…リアバンパ、１０６…ライセンスプレート取付領域、１０８ａ、１０８ｂ…膨出領域、１１０…テイルゲートメンバ、１１２ａ、１１２ｂ…ベンチレータ、１１４…開口、１１６ａ、１１６ｂ…ブレーキランプ固定部、１１８…補強部材、１２０…ハーネス、１２２…固定部、１２４…固定具、１２６…突出形状部、１２８…稜線、１３０…カメラ取付部、１３２…ランプ取付部、１３４…後方確認用カメラ、１３６ａ、１３６ｂ…ライセンスプレートランプ、１３８…フランジ、１４０…下端部、１４２…突起部、１４４…リブ、１４６…縁、Ｒ１…経路、Ｒ２…経路
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
車両に搭載される表示装置の表示を制御する表示制御装置であって、
前記車両または該車両周辺の状態を取得する状態取得部と、
外部からの指示内容に基づいて前記表示装置に所定の情報を表示させるか非表示とするかを制御する表示制御部とを備え、
前記状態取得部が取得した前記車両または該車両周辺の状態が所定の状態にある場合には、前記表示制御部は、前記指示内容にかかわらず、前記表示装置に前記所定の状態に対応する情報を表示させる、表示制御装置。
【請求項２】
前記表示装置は、ヘッドアップディスプレイである、請求項１に記載の表示制御装置。
【請求項３】
前記所定の状態とは、前方車両との車間距離が所定の距離以下となった状態である、請求項１または２のいずれかに記載の表示制御装置。
【請求項４】
前記所定の状態とは、車両が車線逸脱している状態である、請求項１または２のいずれかに記載の表示制御装置。
【請求項５】
前記所定の状態とは、車両の前方に歩行者が飛び出した状態である、請求項１または２のいずれかに記載の表示制御装置。
【請求項６】
前記表示制御部は、所定時間の経過後に前記所定の状態に対応する情報の表示を消去させる、請求項１〜５のいずれかに記載の表示制御装置。
【請求項７】
請求項１乃至６のいずれか１項に記載の表示制御装置を備える表示装置。
【請求項８】
車両に搭載される表示装置の表示を制御する表示制御方法であって、
前記車両または該車両周辺の状態を取得する状態取得ステップと、
外部からの指示内容に基づいて前記表示装置に所定の情報を表示させるか非表示とするかを制御する表示制御ステップとを含み、
前記状態取得ステップにおいて取得した前記車両または該車両周辺の状態が所定の状態にある場合には、前記表示制御ステップでは、前記指示内容にかかわらず、前記表示装置に前記所定の状態に対応する情報を表示させる、表示制御方法。
【請求項９】
車両に搭載される表示装置の表示を制御する表示制御装置のコンピュータが実行する表示制御プログラムであって、
前記車両または該車両周辺の状態を取得する状態取得ステップと、
外部からの指示内容に基づいて前記表示装置に所定の情報を表示させるか非表示とするかを制御する表示制御ステップとを備え、
前記状態取得ステップで取得した前記車両または該車両周辺の状態が所定の状態にある場合には、前記表示制御ステップでは、前記指示内容にかかわらず、前記表示装置に前記所定の状態に対応する情報を表示させる、表示制御プログラム。
【手続補正書】
【提出日】令和3年10月30日(2021.10.30)
【手続補正１】
【補正対象書類名】特許請求の範囲
【補正対象項目名】全文
【補正方法】変更
【補正の内容】
【特許請求の範囲】
【請求項１】
所定の始動条件が成立した場合に所定の抽選を行う抽選手段を備え、該抽選手段による抽選結果が所定の第１結果である場合に所定の遊技状態を発生する遊技機であって、
所定の第１遊技状態が所定の実行期間に亘って継続し、前記所定の実行期間が終了した場合には所定の第２遊技状態へと遷移させる遊技状態制御手段と、
前記所定の実行期間に対する残り期間に対応した情報又は当該残り期間を算出可能な情報を記憶する残り期間情報記憶手段と、
前記第１遊技状態において所定の情報を所定の態様で表示する制御を行う表示制御手段と、を備え、
前記遊技状態制御手段は、前記第１遊技状態と前記第２遊技状態とにおいて、遊技球の進入に基づいて前記所定の始動条件を成立させる所定の始動装置への遊技球の進入し易さを異ならせる制御を行うものであり、
前記第２遊技状態は、前記第１遊技状態より前記所定の始動装置へ遊技球が進入し難く、当該所定の始動装置への遊技球の進入によって実行される小当り抽選の当選によって所定の入賞装置へ前記第１遊技状態より遊技球が進入し易く構成された遊技状態であり、
前記第１遊技状態が開始された場合に、前記始動条件が成立して実行される図柄の変動表示の回数が予め設定された上限回数に達すると、当該第１遊技状態を終了して前記第２遊技状態へと遷移させる制御が可能に構成され、
前記抽選結果が前記第１結果である場合において実行される所定のカウンタに基づいた抽選によって、前記上限回数として異なる回数を設定可能に構成されていることを特徴とする遊技機。
【手続補正２】
【補正対象書類名】明細書
【補正対象項目名】０００２
【補正方法】変更
【補正の内容】
【０００２】
遊技機の代表例としてパチンコ機がある。パチンコ機においては、通常遊技として始動口へ遊技球が入球した場合に抽選が行われ、当該抽選によって大当りに当選した場合に特別遊技状態となって遊技球が大入賞口へ多数入賞可能となる構成が知られている。また、この種の遊技機においては、特別遊技状態の終了後に種類の異なる遊技状態を連続して発生可能に構成することで遊技を多様にするものも知られている（例えば、特許文献１参照）。
【手続補正３】
【補正対象書類名】明細書
【補正対象項目名】０００３
【補正方法】変更
【補正の内容】
【０００３】
【特許文献１】特開２０１６−１８９８７３号公報
【手続補正４】
【補正対象書類名】明細書
【補正対象項目名】０００４
【補正方法】変更
【補正の内容】
【０００４】
しかしながら、複数種類の遊技状態を発生可能に構成された遊技機について未だ改良の余地がある可能性があった。
【手続補正５】
【補正対象書類名】明細書
【補正対象項目名】０００５
【補正方法】変更
【補正の内容】
【０００５】
本発明は、上記例示した事情等に鑑みてなされたものであり、複数種類の遊技状態を好適に発生させることが可能な遊技機を提供することを目的とするものである。
【手続補正６】
【補正対象書類名】明細書
【補正対象項目名】０００６
【補正方法】変更
【補正の内容】
【０００６】
本発明に係る遊技機は、上記の課題を解決するために、
所定の始動条件が成立した場合に所定の抽選を行う抽選手段を備え、該抽選手段による抽選結果が所定の第１結果である場合に所定の遊技状態を発生する遊技機であって、
所定の第１遊技状態が所定の実行期間に亘って継続し、前記所定の実行期間が終了した場合には所定の第２遊技状態へと遷移させる遊技状態制御手段と、
前記所定の実行期間に対する残り期間に対応した情報又は当該残り期間を算出可能な情報を記憶する残り期間情報記憶手段と、
前記第１遊技状態において所定の情報を所定の態様で表示する制御を行う表示制御手段と、を備え、
前記遊技状態制御手段は、前記第１遊技状態と前記第２遊技状態とにおいて、遊技球の進入に基づいて前記所定の始動条件を成立させる所定の始動装置への遊技球の進入し易さを異ならせる制御を行うものであり、
前記第２遊技状態は、前記第１遊技状態より前記所定の始動装置へ遊技球が進入し難く、当該所定の始動装置への遊技球の進入によって実行される小当り抽選の当選によって所定の入賞装置へ前記第１遊技状態より遊技球が進入し易く構成された遊技状態であり、
前記第１遊技状態が開始された場合に、前記始動条件が成立して実行される図柄の変動表示の回数が予め設定された上限回数に達すると、当該第１遊技状態を終了して前記第２遊技状態へと遷移させる制御が可能に構成され、
前記抽選結果が前記第１結果である場合において実行される所定のカウンタに基づいた抽選によって、前記上限回数として異なる回数を設定可能に構成されていることを特徴としている。
【手続補正７】
【補正対象書類名】明細書
【補正対象項目名】０００７
【補正方法】変更
【補正の内容】
【０００７】
本発明によれば、複数種類の遊技状態を好適に発生させることが可能な遊技機を提供することができる。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
船尾部の船底に船体前後方向に沿って設けられるスケグであって、第１スケグと、前記第１スケグに対して船体幅方向に間隔をあけて設けられた第２スケグとを少なくとも含むスケグと、
前記スケグに支持されるとともに、前記スケグから後方に突出するプロペラ軸と、
前記プロペラ軸に固定されたプロペラと、
を備え、
前記第１スケグまたは前記第２スケグの少なくとも一方において、前記スケグの船外側面と船内側面とに開口して前記船外側面と前記船内側面とを連通する少なくとも１個の流路が形成され、
前記流路は、前記スケグにおける前記プロペラ軸より上方の部位に設けられていることを特徴とするスケグ船。
【請求項２】
前記流路は、船体前後方向が船体高さ方向より大きい横断面を有することを特徴とする請求項１に記載のスケグ船。
【請求項３】
前記流路は、船体高さ方向が船体前後方向より大きい横断面を有することを特徴とする請求項１に記載のスケグ船。
【請求項４】
前記流路は、円弧で形成された横断面を有することを特徴とする請求項１に記載のスケグ船。
【請求項５】
前記流路は、前記スケグの前記船外側面から前記船内側面に向かって船体前後方向に対して船体後方へ傾斜するように配置されることを特徴とする請求項１乃至４の何れか一項に記載のスケグ船。
【請求項６】
前記船外側面に開口する船外側開口が、前記船内側面に開口する船内側開口に対して、船体前後方向において前方側、かつ、船体高さ方向において下方側に配置されることを特徴とする請求項１乃至５の何れか一項に記載のスケグ船。
【請求項７】
前記流路の横断面は、前記スケグの前記船外側面から前記船内側面に向かって徐々に縮小するように構成されることを特徴とする請求項１乃至６の何れか一項に記載のスケグ船。
【請求項８】
前記流路の前記船外側面に開口する船外側開口を開閉可能な蓋部材と、
前記流路を開閉するように前記蓋部材を動作させる駆動部と、
を備えることを特徴とする請求項１乃至７の何れか一項に記載のスケグ船。
【請求項９】
前記流路の前記船外側面に開口する船外側開口に配置される整流デバイスであって、前記船外側開口を横断する複数の棒状部材を含む整流デバイスをさらに備えることを特徴とする請求項１乃至７の何れか一項に記載のスケグ船。
【請求項１０】
前記スケグは、前記第１スケグおよび前記第２スケグの間に、前記第１スケグおよび前記第２スケグの各々に対して船体幅方向に間隔をあけて設けられた第３スケグをさらに備え、
前記第３スケグには、一方側側面と他方側側面とに開口して前記一方側側面と前記他方側側面とを連通する少なくとも１個の流路が形成されていることを特徴とする請求項１乃至９の何れか一項に記載のスケグ船。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
流体を吸入側から吸い込み、吐出側から吐出する推進装置であって、
回転軸に対してらせん状に配置された複数のブレードを有するスクリューと、
前記複数のブレードが内側側面に固定されるとともに、前記吸入側の縁部、かつ、隣接する前記ブレード間に、前記回転軸の方向の凹みを有する管状ハウジングと、
を有する推進装置。
【請求項２】
前記管状ハウジングは、前記吐出側における前記回転軸から前記内側側面までの第１半径が、前記吸入側における前記回転軸から前記内側側面までの第２半径よりも小さい、
請求項１記載の推進装置。
【請求項３】
流体を吸入側から吸い込み、吐出側から吐出する推進装置であって、
回転軸に対してらせん状に配置された複数のブレードを有するスクリューと、
前記複数のブレードが内側側面に固定され、かつ、前記吐出側における前記回転軸から前記内側側面までの第１半径が、前記吸入側における前記回転軸から前記内側側面までの第２半径よりも大きい、管状ハウジングと、
を有する推進装置。
【請求項４】
前記管状ハウジングは、前記吸入側の縁部、かつ、隣接する前記ブレード間に、前記回転軸の方向の凹みを有する、
請求項３記載の推進装置。
【請求項５】
前記管状ハウジングを回転自在に収納するケーシングをさらに有する、
請求項１〜４記載の推進装置。
【請求項６】
前記ケーシングは、前記管状ハウジングの前記吐出側に対向して配置され、かつ、前記吐出側に先細りに突出して形成された整流突起を有する、
請求項５記載の推進装置。
【請求項７】
前記スクリューは、前記スクリューの回転軸上かつ前記吐出側に軸状突起を有し、
前記整流突起は、前記軸状突起を回転可能に支持する軸受を有する、
請求項６記載の推進装置。
【請求項８】
流体を吸入側から吸い込み、吐出側から吐出する撹拌機であって、
回転軸に対してらせん状に配置された複数のブレードを有するスクリューと、
前記複数のブレードが内側側面に固定されるとともに、前記吸入側の縁部、かつ、隣接する前記ブレード間に、前記回転軸の方向の凹みを有する管状ハウジングと、
を有する撹拌機。
【請求項９】
流体を吸入側から吸い込み、吐出側から吐出する撹拌機であって、
回転軸に対してらせん状に配置された複数のブレードを有するスクリューと、
前記複数のブレードが内側側面に固定され、かつ、前記吐出側における前記回転軸から前記内側側面までの第１半径が、前記吸入側における前記回転軸から前記内側側面までの第２半径よりも大きい、管状ハウジングと、
を有する撹拌機。